(57)【特許請求の範囲】
【請求項１】
折り曲げ線を介して折り畳まれた前板と後板の、該前板と後板が連設されていない方の両端の隅角には切り欠き部が形成され、前板は後板よりも長く形成され、前板の、前板と後板が互いに連設していない方の端縁は第２折り曲げ線を介して封止板が連設され、後板と封止板とは封止されていることを特徴とする、レトルトパウチ収納用容器において、
前記後板の切り欠き部が形成されていない方の両隅角の前板と連設していない方の端縁には、折り曲げ線を介して前板と接着する舌片が形成されていることを特徴とする、レトルトパウチ収納用容器。
【請求項２】
前記後板と封止板との封止手段が粘着ラベルによる封止であることを特徴とする、請求項１記載のレトルトパウチ収納用容器。
【請求項３】
折り曲げ線を介して折り畳まれた前板と後板の、該前板と後板の連設されている方の両端の隅角には切り欠き部が形成され、前記前板の、前板と後板が互いに連設していない方の端縁には第２折り曲げ線を介して封止舌片が連設され、後板と封止舌片とは封止されていることを特徴とする、レトルトパウチ収納用容器。
【請求項４】
前記前板と後板を連設している折り曲げ線は、前板と後板の両端縁に形成され、前板と後板の中央部分には両端縁の折り曲げ線と連続する前板又は後板に突出する切り込み線が穿設されていることを特徴とする、請求項３記載のレトルトパ  ウチ収納用容器。
【請求項５】
前記後板の中央近傍に窓孔が穿設されていることを特徴とする、請求項３又は４記載のレトルトパウチ収納用容器。
【発明の詳細な説明】
【０００１】
【発明の属する技術分野】
本発明はレトルトパウチ収納用容器に関するものであり、特には、収納物であるレトルトパウチが視認可能な低コストのレトルトパウチ収納用容器に関する。
【０００２】
【従来の技術】
従来、レトルト食品を収納するレトルトパウチは、サック箱と呼ばれる直方体形状の箱の中に完全に封入された状態で流通している。
従って、収納されているレトルトパウチを外から確認することは箱を開けない限り不可能であり、完全な箱形状をしていることから用紙の使用量も多く、コスト面からも問題となっていた。
【０００３】
【発明が解決しようとする課題】
本発明は、レトルトパウチを収納する紙容器に関する以上のような問題点に鑑みてなされたもので、レトルトパウチが外から視認可能で、かつ、紙の使用量を少なくしたレトルトパウチ収納用容器を提供することを課題とする。
【０００４】
【課題を解決するための手段】
本発明の請求項１の発明は、折り曲げ線を介して折り畳まれた前板と後板の、該前板と
後板が連設されていない方の両端の隅角には切り欠き部が形成され、前板は後板よりも長く形成され、前板の、前板と後板が互いに連設していない方の端縁は第２折り曲げ線を介して封止板が連設され、後板と封止板とは封止されていることを特徴とする、レトルトパウチ収納用容器において、
前記後板の切り欠き部が形成されていない方の両隅角の前板と連設していない方の端縁には、折り曲げ線を介して前板と接着する舌片が形成されていることを特徴とする、レトルトパウチ収納用容器である。
【０００５】
このように請求項１記載の発明によれば、折り曲げ線を介して折り畳まれた前板と後板の、該前板と後板が連設されていない方の両端の隅角には切り欠き部が形成され、前板は後板よりも長く形成され、前板の、前板と後板が互いに連設していない方の端縁は第２折り曲げ線を介して封止板が連設され、後板と封止板とは封止されているので、レトルトパウチは前板と、封止された後板と封止板との間に挟装され、レトルトパウチが容器から外れることがない。
また、前板と後板の両方の隅角に切り欠き部が設けられているので、容器の外からレトルトパウチを容器から取り出すことなく、パウチを視認することができる。
【０００９】
また、前板の切り欠き部が形成されていない方の両隅角の後板と連設していない方の端縁には、折り曲げ線を介して後板と接着する舌片が形成されているので、前板と、封止された後板と封止板の間に挟装されたレトルトパウチは容器を傾けても容易に外れることはない。
【００１０】
また、請求項２の発明は、請求項１の発明において、前記後板と封止板との封止手段が粘着ラベルによる封止であることを特徴とする、レトルトパウチ収納用容器である。
【００１１】
このように請求項２記載の発明によれば、後板と封止板との封止手段が粘着ラベルによる封止であるので簡単に封止できる。
【００１２】
また、請求項３の発明は、折り曲げ線を介して折り畳まれた前板と後板の、該前板と後板の連設されている方の両端の隅角には切り欠き部が形成され、前記前板の、前板と後板が互いに連設していない方の端縁には第２折り曲げ線を介して封止舌片が連設され、後板と封止舌片とは封止されていることを特徴とする、レトルトパウチ収納用容器である。
【００１３】
このように請求項３記載の発明によれば、折り曲げ線を介して折り畳まれた前板と後板の、該前板と後板の連設されている方の両端の隅角には切り欠き部が形成され、前記前板の、前板と後板が互いに連設していない方の端縁には第２折り曲げ線を介して封止舌片が連設され、後板と封止舌片とは封止されているので、レトルトパウチは前板と後板の間に挟装され、容器から容易に外れることがない。
また、前板と後板の両方の隅角に切り欠き部が設けられているので、容器の外からレトルトパウチを容器から取り出すことなく、パウチを視認することができる。
【００１４】
また、請求項４の発明は、請求項３の発明において、前記前板と後板を連設している折り曲げ線は、前板と後板の両端縁に形成され、前板と後板の中央部分には両端縁の折り曲げ線と連続する前板又は後板に突出する切り込み線が穿設されていることを特徴とする、レトルトパウチ収納用容器である。
【００１５】
このように請求項４記載の発明によれば、前板と後板を連設している折り曲げ線は、前板と後板の両端縁に形成され、前板と後板の中央部分には両端縁の折り曲げ線と連続する前板又は後板に突出する切り込み線が穿設されているので、後板を折り曲げ線に沿って折り曲げ前板に重ねることにより、収納されているレトルトパウチを切り込み線の部分からも視認することができる。
【００１６】
また、請求項５の発明は、請求項３又は４の発明において、前記後板の中央近傍に窓孔が穿設されていることを特徴とする、レトルトパウチ収納用容器である。
【００１７】
このように請求項５記載の発明によれば、後板の中央近傍に窓孔が穿設されているので、窓孔に、例えば、粘着ラベルを貼り付けることにより、レトルトパウチと容器は固定され、パウチが容器から外れることがない。
【００１８】
【発明の実施の形態】
本発明のレトルトパウチ収納用容器を一実施形態に基づいて以下に詳細に説明する。
図１は、収納用容器の一実施例を示す、展開説明図であり、図２は、容器にレトルトパウチを挟装する状態を示す、説明図である。
【００１９】
レトルトパウチ収納用容器のブランクは、例えば、図１に示すように、折り曲げ線（ａ）を介して前板（１１）と後板（１２）が連設されている。
そして、前板と後板が連設されていない方の両端の隅角には切り欠き部（１３）が形成されている。
前板と後板の切り欠き部（１３）は、後板を折り曲げ線に沿って折り曲げ、前板に重ねた時、切り欠き部が同じ高さに重なるように形成されている。
また、容器の左右の切り欠き部の大きさも統一した方が見栄えが良い。
【００２０】
切り欠き部（１３）の形状は、図に示すような直角を形成するように設けても良いし、斜線を形成するようにしても良いし、曲線を形成するようにしても良い。
【００２１】
前板（１１）は後板（１２）よりも長く形成されており、前板の、前板と後板が互いに連設していない方の端縁には第２折り曲げ線（ｂ）を介して封止板（１４）が連設されている。
【００２２】
前板（１１）と封止板（１４）を連設している第２折り曲げ線（ｂ）は、前板と封止板の境界の左右端近傍に形成させ、前板（１１）と封止板（１４）の中央近傍は、両側の第２折り曲げ線（ｂ）の先端および末端と連続する切り込み線（ｃ）が封止板（１４）よりに突出するように穿設されている。
切り込み線（ｃ）は、図に示すように、円弧状の切り込み溝としても良い。
【００２３】
容器への組み立てと組み立てた容器へのレトルトパウチの挟装は、例えば、つぎのようにして行う。
すなわち、図２に示すように、後板（１２）及び前板の両端に連設されている舌片（１５、１５）を折り曲げ線に沿って折り曲げ、折り曲げた後板（１２）と舌片（１５、１５）とを例えば接着剤を介して接着させ（図２（ａ））、折り重ねた前板（１１）と後板（１２）の間に、例えば、カレーなどの内容物が充填されたレトルトパウチ（５０）を挟装する（図２（ｂ））。
【００２４】
ついで、封止板（１４）を第２折り曲げ線（ｂ）に沿って折り曲げ、挟装したレトルトパウチ（５０）を覆うようにして封止板（１４）の先端近傍と後板（１２）とを、例えば粘着ラベル（６０）で封止する（図２（ｃ）、図２（ｄ））。
【００２５】
このようにして容器に挟装したレトルトパウチは、容器から飛び出すことはないし、容器を開けることなく切り欠き部からレトルトパウチを視認することができる。
【００２６】
図３は、本発明のレトルトパウチ収納用容器の別の実施例を示すブランクである。このブランクを説明する。
前板（１１）と後板（１２）が折り曲げ線（ｄ）を介して連設されている。
そして前板と後板が連設されている方の両端の隅角には切り欠き部（１３）が形成されている。
前板と後板に形成される切り欠き部（１３）は、後板を折り曲げ線（ｄ）に沿って折り曲げて前板と重ねた時、切り欠き部は互いに重なるように形成されている。
また、容器の左右の切り欠き部の大きさも同じにした方が見栄えが良い。
【００２７】
切り欠き部（１３）の形状は、図に示すような直角を形成するように設けても良いし、斜線を形成するようにしても良いし、曲線を形成するようにしても良い。
【００２８】
前板（１１）と後板（１２）の高さは略同じに形成されており、前板の、前板と後板が互いに連設していない方の端縁には折り曲げ線を介して封止舌片（１６）が連設されている。
【００２９】
前板（１１）と後板（１２）を連設している折り曲げ線（ｄ）は、前板（１１）と後板の境界の左右端に形成させ、前板と後板の中央近傍は、両側の折り曲げ線（ｄ）と先端および末端と連続する切り込み線（ｃ）が後板よりに突出するように穿設されている。
切り込み線（ｃ）は、前板よりに突出するように穿設しても良い。また、切り込み線（ｃ）は、図に示すように、円弧状の切り込み溝としても良い。
【００３０】
後板（１２）の中央近傍には、窓孔（１７）が穿設されている。窓孔（１７）の上から、例えば、粘着ラベルを貼り付けることにより、レトルトパウチと外装箱とは固定され、パウチが容器から飛び出したりすることはなくなる。
【００３１】
ブランクから容器への組み立てと容器へのレトルトパウチの挟装は、例えば、つぎのようにして行う。
すなわち、図４に示すように、前板（１１）の上下に連設されている後板（１２）と封止舌片（１６）を折り曲げ、後板に折り重ねると共に、封止舌片と後板の裏面とを接着剤等を介して貼着して容器（２０）とする。
容器の前板と後板の間にレトルトパウチ（５０）を横から入れて挟装する（図４（ａ）、（ｂ）参照）。
【００３２】
最後に窓孔（１７）の上から、粘着ラベル（６０）を貼り付けることによりレトルトパウチと容器とを固定する（図４（ｃ）参照）。
【００３３】
【発明の効果】
上記のように、本発明のレトルトパウチ用容器は紙の使用量を少なくすることができ、このことにより、廃棄時のゴミを削減することができ最近の環境問題にも配慮したものとなっている。
また、従来は全く見えなかった商品であるレトルトパウチを包装した状態で視認識することができるため、消費者においてはパウチの形状及びデザインを外から確認することができので、安心して購入することができる。
【図面の簡単な説明】
【図１】本発明のレトルトパウチ収納用容器の一実施例を示す、展開説明図である。
【図２】図１のレトルトパウチ収納用容器にレトルトパウチを挟装する状態を示す、説明図である。
【図３】本発明のレトルトパウチ収納用容器の別の実施例を示す、展開説明図である。
【図４】図３のレトルトパウチ収納用容器にレトルトパウチを挟装する状態を示す、説明図である。
【符号の説明】
１０、２０‥‥レトルトパウチ収納用容器
１１‥‥前板
１２‥‥後板
１３‥‥切り欠き部
１４‥‥封止板
１５‥‥舌片
１６‥‥封止舌片
１７‥‥窓孔
５０‥‥レトルトパウチ
６０‥‥粘着ラベル
ａ‥‥折り曲げ線
ｂ‥‥第２折り曲げ線
ｃ‥‥切り込み線
ｄ‥‥折り曲げ線
【図１】
0004003481.tif 000002
【図２】
0004003481.tif 000003
【図３】
0004003481.tif 000004
【図４】
0004003481.tif 000005